(57)【要約】【課題】  胴内排紙型の画像形成装置のように、重心が機械中心からずれている機械を容易に運搬できるようにすることが課題である。【解決手段】  重心から遠い方の端側に配したキャスタにおける足の長さを、重心側端に配したキャスタにおける足の長さより長くすることにより、足の長さの差により生じた画像形成装置本体の傾斜で床に対する相対的な重心位置が重心側端に配したキャスタの方に寄り、重心から遠い方の端側に配したキャスタにかかる荷重を軽くして、取り回しが容易で移動が非常に楽に行える画像形成装置を提供することができる。【選択図】      図１
2006011098.tif 000002
【特許請求の範囲】
【請求項１】
画像形成装置本体重心が本体中央に対して一方向に偏っており、前記本体底辺四隅に運搬用キャスタを配した画像形成装置であって、
前記キャスタは、重心から遠い方の端側に配したキャスタにおける足の長さを、重心側端に配したキャスタにおける足の長さより長くしたことを特徴とする画像形成装置。
【請求項２】
前記重心から遠い方の端側に配したキャスタにおける足の長さは、前記重心側端に配したキャスタの足の長さとの差により生じた画像形成装置本体の傾斜で床に対して相対的に移動した重心位置が、重心側端のキャスタの位置を超えないような長さとしたことを特徴とする請求項１に記載した画像形成装置。
【請求項３】
前記重心から遠い方の端側に配したキャスタは、画像形成装置本体底辺からの長さを変化できるよう構成されていることを特徴とする請求項１に記載した画像形成装置。
【請求項４】
前記画像形成装置は、前記重心側端に運搬用ハンドルを取り付け可能に構成されていることを特徴とする請求項１に記載した画像形成装置。
【発明の詳細な説明】
【技術分野】
【０００１】
本発明は、電子写真方式を利用した複写機、プリンタ、ファクシミリ、それらの複合機などの画像形成装置に係り、特に、機械重心が一方に偏っている画像形成装置の運搬を、容易におこなえるようにした画像形成装置に関するものである。
【背景技術】
【０００２】
近年、電子写真方式を利用した複写機、プリンタ、ファクシミリ、それらの複合機などの画像形成装置においても、高速化、小型化、省スペース化が要望され、転写材搬送路の短縮化や排紙スペースの不要化を目的に、図７に一例を示したように、給紙ローラ７０、感光体７１上に形成したトナー画像を転写材７２に転写する転写部７３、定着装置７４などを垂直に配置したり、スキャナ１０の下に排紙部１１を設けた胴内排紙機構を採用したものが開発されている。
【０００３】
また通常画像形成装置では、ユーザへの搬入や搬出に便利なようにキャスタ７５を備え、据え付けに当たって機械が動いたりしないよう、固定脚をキャスタ７５の長さ以上に繰り出せるようにしたものが多いが、こういった胴内排紙型の画像形成装置では、当然のことながらその重心Ｇが前記した給紙ローラ７０、転写部７３、定着装置７４などが存在する方に偏っているから、重心Ｇのある方を進行方向に向けて移動させると、この重心Ｇのある方のキャスタ７５にかなりの重量がかかって取り回しが困難となり、移動方向を変化させるときなどに多大な力を要することになる。
【０００４】
こういったことに対処するため例えば特許文献１には、キャスタの数を減らすことが目的ではあるが、重心のある側の端にキャスタを取り付け、重心から離れた側の端には固定脚のみを設けて、機械の移動に際して機械をキャスタ側に傾け、固定脚側を浮かせて運搬するようにした画像形成装置が示されている。
【０００５】
また特許文献２には、四隅にキャスタを設けた画像形成装置において、装置本体の重心とは反対側を進行方向とするよう移動方向の側にあるキャスタであることを示す印をつけることが示されている。
【０００６】
【特許文献１】特開平８−１２３１１８号公報
【特許文献２】特開平１０−２３２５２８号公報
【発明の開示】
【発明が解決しようとする課題】
【０００７】
しかしながら特許文献１に示された方法では、実際の移動時に機械自体をかなり傾ける必要があり、運搬する者の力によっては機械が横転してしまう可能性があってきわめて危険である。また、特許文献２に示された方法では、機械重心位置が変わらないため、装置本体の重心とは反対側のキャスタにもかなりの重量がかかっており、前記したように移動中の取り回しが困難の可能性があると共に、障害物があった場合は乗り越えが難しい可能性があって、問題の解決にはならない。
【０００８】
そのため本発明においては、胴内排紙型の画像形成装置のように、重心が機械中心からずれている機械を容易に運搬できるようにすることが課題である。
【課題を解決するための手段】
【０００９】
上記課題を解決するため本発明における画像形成装置は、
画像形成装置本体重心が本体中央に対して一方向に偏っており、前記本体底辺四隅に運搬用キャスタを配した画像形成装置であって、
前記キャスタは、重心から遠い方の端側に配したキャスタにおける足の長さを、重心側端に配したキャスタにおける足の長さより長くしたことを特徴とする。
【００１０】
このように、重心から遠い方の端側に配したキャスタにおける足の長さを、重心側端に配したキャスタにおける足の長さより長くすることにより、足の長さの差により生じた画像形成装置本体の傾斜で床に対する相対的な重心位置が重心側端に配したキャスタの方に寄り、重心から遠い方の端側に配したキャスタにかかる荷重が軽くなるから、取り回しが容易になって移動が非常に楽に行える画像形成装置を提供することができる。
【００１１】
そして、前記重心から遠い方の端側に配したキャスタにおける足の長さは、前記重心側端に配したキャスタの足の長さとの差により生じた画像形成装置本体の傾斜で床に対して相対的に移動した重心位置が、重心側端のキャスタの位置を超えないような長さとしたことを特徴とする。
【００１２】
このようにすることにより、重心から遠い方の端側に配したキャスタにかかる荷重は軽くなるが、この重心の床に対する相対的移動は重心側端のキャスタの位置を超えないから、画像形成装置本体が横転することはなく、取り回しに際して危険が伴うことがない。
【００１３】
また、前記重心から遠い方の端側に配したキャスタは、画像形成装置本体底辺からの長さを変化できるよう構成されていることを特徴とする。
【００１４】
このようにすることにより、画像形成装置設置時は足の長さを短くし、移動時のみ長くすることができるから、より使い勝手の良い画像形成装置を提供することができる。
【００１５】
さらに、前記画像形成装置は、前記重心側端に運搬用ハンドルを取り付け可能に構成されていることを特徴とする。
【００１６】
このようにすることにより、画像形成装置の移動をより容易におこなうことができる。
【発明の効果】
【００１７】
以上記載のごとく本発明によれば、重心から遠い方の端側に配したキャスタにおける足の長さを、重心側端に配したキャスタにおける足の長さより長くすることにより、足の長さの差で生じた画像形成装置本体の傾斜で床に対する相対的な重心位置が重心側端に配したキャスタの方に寄り、重心から遠い方の端側に配したキャスタにかかる荷重が軽くなるから、取り回しが容易になって移動が非常に楽に行える画像形成装置を提供することができる。
【発明を実施するための最良の形態】
【００１８】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【００１９】
図１は本発明になる画像形成装置の移動時の構成概略を示した図、図２は本発明になる画像形成装置の据え付け時の構成概略を示した図、図３は本発明になる画像形成装置における長さ調節機構を備えたキャスタの実施例で、（Ａ）は側面図、（Ｂ）は画像形成装置の底板を一部破断して示した斜視図、図４は本発明になる画像形成装置における長さ調節機構を備えたキャスタの他の実施例で、（Ａ）は画像形成装置本体底辺からの長さを短くした場合、（Ｂ）は同じく長くした場合、図５、図６は重心側に運搬用のハンドルを取り付けられるようにした画像形成装置の例で、図５は図上左側（機械左側）に重心がある画像形成装置の場合、図６は機械背面側（図上右後側）に重心がある画像形成装置の場合である。
【００２０】
本発明は、前記した胴内排紙型画像形成装置のように、本体重心Ｇが画像形成装置本体中央に対して一方向に偏っている画像形成装置において、機械移動時の取り回しを容易にするため図１に示したように、重心から遠い方の端側に配したキャスタにおける足の長さを、重心のある側の端に配したキャスタにおける足の長さより長くしたものである。
【００２１】
これを図１を用いて詳細に説明すると、図１において１は画像形成装置本体であり、この画像形成装置本体１は、前記したように例えば胴内排紙型のため、重心Ｇが画像形成装置本体中心Ｏから図上左側にＬだけずれているものとする。この場合本発明では、重心Ｇから遠い方の端側に配したキャスタ２の足３の長さａを、重心Ｇのある側の端に配したキャスタ４における足５の長さｂより長くする。
【００２２】
このようにすると画像形成装置本体１は、キャスタ２と４の足３、５の長さａ、ｂの差により傾き、床に対する相対的な重心位置６は、画像形成装置本体が傾いていないときの位置７よりもキャスタ４側にｃだけズレ、画像形成装置本体中心Ｏに対しては（Ｌ＋ｃ）だけズレることになる。なお、このズレ量ｃは、画像形成装置本体１の横転を防止するため、重心Ｇのある側の端に配したキャスタ４を超えないようａの長さを調節する。
【００２３】
そして画像形成装置本体１が所定の位置まで移動したら、図２に示したように、画像形成装置本体１の内部に設けられ、例えばネジを用いて長さを変更できるようにした固定脚９における足８をキャスタ２の足３の長さａより長くし、画像形成装置本体１をこの固定脚９で支持して動かないように固定する。
【００２４】
このように画像形成装置におけるキャスタを構成することで、キャスタ２側にかかる荷重はさらに軽くなり、横転などの危険を伴わずに移動時の取り回しが非常に容易になると共に、障害物などがあった場合も容易に乗り越えたり回避することができ、また画像形成装置本体１の据え付け時は、固定脚９によって容易に動くことがない画像形成装置を提供することができる。
【００２５】
なお、図１、図２において、１０はスキャナ、１１はトナー画像を定着された転写材を排出する排紙部、１２は手差し給紙部、１３は給紙カセットであり、前記図７で説明したように、排紙部１１の下には、感光体や現像装置、定着装置などの電子写真プロセス部材が収納されている。
【００２６】
しかしながら図２から明らかなように、キャスタ２の足３の長さａが長い場合、当然のことながら固定脚９の足８も長くなり、あまり長い場合は当然画像形成装置本体１が揺れたりして不安定になる。そのため本発明における画像形成装置は、図３、図４に示したように、重心Ｇから遠い方の端側に配したキャスタ２の足３の画像形成装置本体底辺からの長さを、変化できるよう構成しても良い。
【００２７】
図３は長さ調節機構を備えたキャスタ３０の１実施例であり、（Ａ）は側面図、（Ｂ）は画像形成装置本体１の底板３１を一部破断して示した斜視図で、キャスタ３０はその支持部材３２に、高さ調節ネジ３３、ネジ３４の付いたボルト３５を設けてある。そしてキャスタ３０の長さを長くするときは、高さ調節ネジ３３を回転させると、ボルト３４が上下してキャスタ３０と画像形成装置本体１の底板３１との間隔を変化させることができる。
【００２８】
そのため画像形成装置本体１を移動するときは、高さ調節ネジ３３を回転させてキャスタ３０と画像形成装置本体１の底板３１との間隔を大きくし、所定場所に据え付けるときは、高さ調節ネジ３３を逆に回転させてキャスタ３０と画像形成装置本体１の底板３１との間隔を小さくする。
【００２９】
図４は長さ調節機構を備えたキャスタ４０の他の実施例であり、（Ａ）は画像形成装置本体底板３１からの長さを短くした場合、（Ｂ）は同じく長くした場合で、キャスタ４０はその支持部材４１の取り付け台４２に上部に径の大きな４３ａ、下部に径の小さな４３ｂを配した足４３が取り付けられ、その足４３ａは、画像形成装置本体底板３１に設けられた軸受け４４に挿通され、足４３ｂの部分は通過が規制され、前記画像形成装置本体の重量が加えられたとしても底板３１からの長さを短くした場合の位置を維持するようになっている。そしてその足４３ａには、上部にネジ部４５が設けられて圧縮スプリング４６と足４３の移動時の長さを規定する調節用ナット４７が設けられ、一方、画像形成装置本体底板３１には、このキャスタ４０の足４３の画像形成装置本体底板３１からの長さを変更するため、レバー支点４８で画像形成装置本体底板３１に回動可能に取り付けられたレバー４９が設けられている。
【００３０】
そして、画像形成装置本体１を移動するときは、図４（Ｂ）に示したように、レバー支点４８を支点としてレバー４９を回動させ、キャスタ４０の足４３を圧縮スプリング４６に抗して下降させて、キャスタ４０の画像形成装置本体１の底板３１からの長さを長くし、レバー４９における直角に曲がった部分を取り付け台４２に当接させて固定する。このようにすると、レバー４９がつっかい棒の役をし、キャスタ４０が短くなるのを防いでくれる。また、キャスタ４０の長さを短くするときは、レバー４９の固定を外して図４（Ａ）の位置にすることで、キャスタ４０と画像形成装置本体１の底板３１との間隔を小さくすることができる。
【００３１】
このようにキャスタ３０または４０における足３５または４３の長さを変化させられるようにすることにより、画像形成装置本体１を移動するときのみ重心Ｇから遠い方の端側に配したキャスタ３０または４０における足３５または４３を長くし、所定場所に据え付けるときは短くすることができるから、図２に示した固定脚９の足８の長さは重心Ｇ側の端に設けられたキャスタ４の足５より少し長ければ良くなり、この足８の長さが長くなりすぎて画像形成装置本体１が揺れたり不安定になることを防ぐことができる。
【００３２】
また、大型の画像形成装置においては、移動や運搬の際に便利なように取っ手（運搬用ハンドル）を付けることが行われているが、これを図１に示した重心Ｇ側とすることで、画像形成装置本体１の運搬や移動が非常に楽になる。図５、図６は、このような考えの元に、重心側に運搬用のハンドルを取り付けられるようにした画像形成装置の例であり、図５は図上左側（機械左側）に重心がある場合、図６は機械背面側（図上右後側）に重心がある場合である。
【００３３】
図５に示した画像形成装置５０は、最上部にスキャナ５１を有し、その下に排紙部５２、手前に操作部５３が配してあると共に、排紙部５２の下に感光体や現像装置、定着装置などの電子写真プロセス部材が収納され、さらにその下に給紙カセットなどが収納された胴内排紙型の画像形成装置である。そして前記図７で説明したように、図上排紙部５２の左側に電子写真プロセス部材が収納され、図１に示したように重心Ｇも機械中心Ｏより左側にある。
【００３４】
そのため、画像形成装置５０の左側面に取っ手（運搬用ハンドル）５４を設けられるようにすることで、画像形成装置５０の運搬や移動時には図１に示したように、重心Ｇ側のキャスタ４における足５の長さｂより重心Ｇから遠い方の端側に配したキャスタ２の足３の長さａを長くし、取っ手５４を取り付けて運搬や移動を行うことで、より安全に、容易に画像形成装置５０を移動させることができる。
【００３５】
そして、機械重心が機械背面側（図上右後側）にある場合も同様であり、例えば図６に示した画像形成装置６０で重心Ｇが機械背面側（図上右後側）にある場合、この重心Ｇのある機械背面側（図上右後側）に取っ手（運搬用ハンドル）６１を設ける。すると前記したように、重心Ｇ側のキャスタ４における足５の長さｂより重心Ｇから遠い方の端側に配したキャスタ２の足３の長さａを長くし、取っ手６１によって運搬や移動を行うことで、より安全に、容易に画像形成装置６０を移動させることができる。なお、図中６２はスキャナ、６３は排紙部、左手前の６４は操作部であり、排紙部６３の下に感光体や現像装置、定着装置などの電子写真プロセス部材が収納され、さらにその下に給紙カセットなどが収納されている。
【００３６】
以上種々述べてきたように本発明によれば、重心から遠い方の端側に配したキャスタにおける足の長さを、重心側端に配したキャスタにおける足の長さより長くすることにより、足の長さの差により生じた画像形成装置本体の傾斜で床に対する相対的な重心位置が重心側端に配したキャスタの方に寄り、重心から遠い方の端側に配したキャスタにかかる荷重が軽くなるから、取り回しが容易になって移動が非常に楽に行える画像形成装置を提供することができる。
【００３７】
また、重心から遠い方の端側に配したキャスタにおける足の長さは、重心側端に配したキャスタの足の長さとの差により生じた画像形成装置本体の傾斜で床に対して相対的に移動した重心位置が、重心側端のキャスタの位置を超えないような長さとしたから、重心から遠い方の端側に配したキャスタにかかる荷重は軽くなるが、画像形成装置本体が横転するまで重心が移動しないから、取り回しに際して危険が伴うことがない。
【００３８】
さらに、重心から遠い方の端側に配したキャスタは、画像形成装置本体底辺からの長さを変化できるよう構成することにより、画像形成装置設置時は足の長さを短くし、移動時のみ長くすることができるから、より使い勝手の良い画像形成装置とすることができる。
【００３９】
そして、重心側端に運搬用ハンドルを取り付け可能に構成することにより、画像形成装置移動をより容易におこなうことができる。
【産業上の利用可能性】
【００４０】
本発明によれば、移動や運搬に際し、取り回しが容易で移動が非常に楽に行える画像形成装置を提供することができる。
【図面の簡単な説明】
【００４１】
【図１】本発明になる画像形成装置の移動時の構成概略を示した図である。
【図２】本発明になる画像形成装置の据え付け時の構成概略を示した図である。
【図３】本発明になる画像形成装置における長さ調節機構を備えたキャスタの実施例で、（Ａ）は側面図、（Ｂ）は画像形成装置の底板を一部破断して示した斜視図である。
【図４】本発明になる画像形成装置における長さ調節機構を備えたキャスタの他の実施例で、（Ａ）は画像形成装置本体底板からの長さを短くした場合、（Ｂ）は同じく長くした場合である。
【図５】重心側に運搬用のハンドルを取り付けられるようにした画像形成装置の例で、図上左側（機械左側）に重心がある場合である。
【図６】重心側に運搬用のハンドルを取り付けられるようにした画像形成装置の例で、機械背面側（図上右後側）に重心がある場合である。
【図７】胴内排紙型画像形成装置における装置内部の構成概略と従来の移動用キャスタ概略を示した図である。
【符号の説明】
【００４２】
１  画像形成装置本体
２  キャスタ
３  足
４  キャスタ
５  足
６  床に対する相対的な重心位置
７  画像形成装置本体が傾いていないときの床に対する相対的な重心位置
８  足
９  固定脚
【図１】
2006011098.tif 000003
【図２】
2006011098.tif 000004
【図３】
2006011098.tif 000005
【図４】
2006011098.tif 000006
【図５】
2006011098.tif 000007
【図６】
2006011098.tif 000008
【図７】
2006011098.tif 000009